(57)【要約】【課題】患者の診療情報を医療施設間で共有する場合に、アクセス権限の付与、解除のためにサーバ管理者の手を煩わせることなく、各医療施設が必要な患者の診療情報に必要な期間に限ってアクセスすることが可能な医療連携システムを提供する。【解決手段】本発明に係る地域医療連携システム１００によれば、予約サーバ１において診療予約が受け付けられ、診療を予約した患者の患者情報、予約日、及び予約された医療施設の情報を含む予約情報がデータセンタサーバ２に送信されると、データセンタサーバ２は、受信した予約情報に基づいて、予約された医療施設に対し、診療を予約した患者についての診療情報へのアクセス権限を一定期間付与する。【選択図】図９
2010237830.tif 000002
【特許請求の範囲】
【請求項１】
診療の予約情報を受け付ける予約装置と、患者毎の診療情報を記憶手段に保存し管理するデータ管理装置と、がデータ送受信可能に接続された医療連携システムであって、
前記予約情報は、診療を予約した患者の患者情報、予約日、及び予約された医療施設の情報を含み、
前記予約装置は、前記受け付けた予約情報を前記データ管理装置に送信し、
前記データ管理装置は、前記予約装置から受信した予約情報に基づいて、前記診療を予約した患者についての診療情報へのアクセス権限を前記予約された医療施設に対して一定期間付与する医療連携システム。
【請求項２】
前記データ管理装置は、前記アクセス権限が付与された医療施設から一定期間経過後に前記診療を予約した患者についての診療情報へのアクセスがあった場合には、アクセスを許可しない請求項１に記載の医療連携システム。
【請求項３】
前記一定期間は、予約日を含む一定期間である請求項１又は２に記載の医療連携システム。
【請求項４】
前記予約情報に予約された診療科又は担当医師が含まれている場合は、前記診療を予約した患者についての診療情報へのアクセス権限を前記予約された診療科又は担当医師に対して一定期間付与する請求項１〜３の何れか一項に記載の医療連携システム。
【発明の詳細な説明】
【技術分野】
【０００１】
本発明は、医療連携システムに関する。
【背景技術】
【０００２】
患者中心の医療を実現するため、診療所や病院での予約システムの導入が進んでいる。また、地域の医療施設間で患者の診療情報を共有することで、禁忌事項や薬剤の処方、検査等において患者負担を減らすことが進められている。
【０００３】
例えば、特許文献１には、地域の医療施設の検索・予約を受け付ける地域医療連携サーバが記載されている。
【先行技術文献】
【特許文献】
【０００４】
【特許文献１】特開２００５−１２２３８０号公報
【発明の概要】
【発明が解決しようとする課題】
【０００５】
ところで、地域の医療施設間で診療情報を共有する場合、診療情報は患者の個人情報に関わるため、誰にでも公開可能にはできない。そのため、診療情報にアクセスする医療施設やユーザに対し権限認証が必要である。権限認証の方法としては、施設認証、ノード認証、ユーザ認証、コンテンツ認証などのレベルで行われ、自由な閲覧ができないようになっている。
【０００６】
従来、権限が付与されていない施設等で共有の診療情報を閲覧する必要が生じた場合は、診療情報を保存しているサーバの管理者が手動操作でその施設等に権限を付与する設定を行っており、サーバ管理者の手を煩わせることとなっていた。
【０００７】
一方、一旦権限が付与されると、権限を解除するにはサーバ管理者による解除操作が必要となるため、患者が退院しても権限が解除されることはほとんどなく、何時までも患者の個人情報が公開され続けることとなっていた。
【０００８】
本発明の課題は、患者の診療情報を医療施設間で共有する場合に、アクセス権限の付与、解除のためにサーバ管理者の手を煩わせることなく、各医療施設が必要な患者の診療情報に必要な期間に限ってアクセスすることが可能な医療連携システムを提供することである。
【課題を解決するための手段】
【０００９】
上記課題を解決するため、請求項１に記載の発明は、
診療の予約情報を受け付ける予約装置と、患者毎の診療情報を記憶手段に保存し管理するデータ管理装置と、がデータ送受信可能に接続された医療連携システムであって、
前記予約情報は、診療を予約した患者の患者情報、予約日、及び予約された医療施設の情報を含み、
前記予約装置は、前記受け付けた予約情報を前記データ管理装置に送信し、
前記データ管理装置は、前記予約装置から受信した予約情報に基づいて、前記診療を予約した患者についての診療情報へのアクセス権限を前記予約された医療施設に対して一定期間付与する。
【００１０】
請求項２に記載の発明は、請求項１に記載の発明において、
前記データ管理装置は、前記アクセス権限が付与された医療施設から一定期間経過後に前記診療を予約した患者についての診療情報へのアクセスがあった場合には、アクセスを許可しない。
【００１１】
請求項３に記載の発明は、請求項１又は２の何れか一項に記載の発明において、
前記一定期間は、予約日を含む一定期間である。
【００１２】
請求項４に記載の発明は、請求項１〜３の何れか一項に記載の発明において、
前記予約情報に予約された診療科又は担当医師が含まれている場合は、前記診療を予約した患者についての診療情報へのアクセス権限を前記予約された診療科又は担当医師に対して一定期間付与する。
【発明の効果】
【００１３】
本発明によれば、患者の診療情報を医療施設間で共有する場合に、アクセス権限の付与、解除のためにサーバ管理者の手を煩わせることなく、各医療施設が必要な患者の診療情報に必要な期間に限ってアクセスすることが可能な医療連携システムを提供することが可能となる。
【図面の簡単な説明】
【００１４】
【図１】本発明の実施の形態における地域医療連携システムの全体構成を示す図である。
【図２】図１の予約サーバの機能的構成を示すブロック図である。
【図３】図２の予約情報ＤＢに格納される予約情報のデータ構成例を示す図である。
【図４】図１のデータセンタサーバの機能的構成を示すブロック図である。
【図５】図４の検体検査ＤＢに格納される検体検査データのデータ構成例を示す図である。
【図６】図４の画像ＤＢに格納されるデータのデータ構成例を示す図である。
【図７】図４の権限付与情報ＤＢに格納される権限付与情報のデータ構成例を示す図である。
【図８】図４の認証情報テーブルのデータ格納例を示す図である。
【図９】図１の地域医療連携システムの装置間において実行される処理の流れを示す図である。
【発明を実施するための形態】
【００１５】
以下、図面を参照して本発明に係る実施の形態を詳細に説明する。ただし、発明の範囲は、図示例に限定されない。
【００１６】
〔地域医療連携システム１００の構成〕
図１に、本実施の形態における地域医療連携システム１００のシステム構成を示す。
図１に示すように、地域医療連携システム１００は、予約サーバ１と、データセンタサーバ２と、各医療施設に設置される電子カルテ端末３と、患者端末４と、検査センタサーバ５と、がインターネット等の通信ネットワークＮを介してデータ送受信可能に接続されて構成されている。地域医療連携システム１００は、地域の医療施設間で患者の診療情報を共有するためのシステムである。診療情報とは、診療の過程で取得された患者に関する情報を指し、例えば、医用画像、検体検査データ、読影レポート、病理診断レポート、診療記録等が含まれる。
【００１７】
〔地域医療連携システム１００の各装置の装置構成〕
以下、地域医療連携システム１００を構成する各装置について説明する。
【００１８】
〔予約サーバ１〕
予約サーバ１は、Ｗｅｂ（World Wide Web）上で患者からの地域の医療施設（医療施設Ａ、医療施設Ｂ、医療施設Ｃ、・・・）への診療予約を受け付け、予約された医療施設に通知するとともに、受け付けた診療予約の内容を示す予約情報をデータセンタサーバ２に送信する予約装置である。
【００１９】
図２に、予約サーバ１の機能構成例を示す。
予約サーバ１は、図２に示すように、制御部１１、ＲＡＭ１２、記憶部１３、操作部１４、表示部１５、通信部１６、計時部１７等を備えて構成されており、各部はバス１８により接続されている。
【００２０】
制御部１１は、ＣＰＵ（Central Processing Unit）等により構成され、記憶部１３に
記憶されているシステムプログラムやＷｅｂ（World Wide Web）サーバプログラムをはじめと各種プログラムを読み出してＲＡＭ１２に展開し、展開されたプログラムに従って各種処理を実行する。例えば、制御部１１は、記憶部１３に記憶されているプログラムに従って、図９に示す予約サーバ１の処理を実行する。
【００２１】
ＲＡＭ１２は、制御部１１により実行制御される各種処理において、記憶部１３から読み出された制御部１１で実行可能な各種プログラム、入力若しくは出力データ、及びパラメータ等の一時的に記憶するワークエリアを形成する。
【００２２】
記憶部１３は、ＨＤＤ（Hard Disk Drive）や半導体の不揮発性メモリ等により構成さ
れる。記憶部１３は、前述のように各種プログラムを記憶している。また、記憶部１３は、Ｗｅｂ上で診療予約を受け付けるための予約受付ページ等のページデータ（ＨＴＭＬ（HyperText Markup Language）ファイル等）を記憶している。
【００２３】
また、記憶部１３は、患者端末４から送信された予約情報を格納するための予約情報ＤＢ（Data Base）１３１を記憶している。
【００２４】
図３に、予約情報ＤＢ１３１に格納される予約情報のデータ構成例を示す。図３に示すように、予約情報は、「患者情報」及び「予約詳細情報」により構成されている。「患者情報」は診療を予約した患者に関する情報であり、患者ＩＤ、患者名、生年月日、性別、住所、電話番号等を含む。「予約詳細情報」は、予約内容の詳細を示す情報であり、予約番号、予約日時、医療施設名、診療科、担当医師等の情報を含む。
【００２５】
操作部１４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部１１に出力する。
【００２６】
表示部１５は、例えば、ＣＲＴ（Cathode Ray Tube）やＬＣＤ（Liquid Crystal Display）等のモニタを備えて構成されており、制御部１１から入力される表示信号の指示に従って、各種画面を表示する。
【００２７】
通信部１６は、ＬＡＮ（Local Area Network）アダプタ、ルータ、ＴＡ（Terminal Adapter）等を備え、通信ネットワークＮを介して接続されたデータセンタサーバ２、電子カルテ端末３、患者端末４等の外部機器との間でデータの送受信を行う。
【００２８】
計時部１７は、ＲＴＣ（Real Time Clock）等により構成され、現在時刻及び現在日付を計時して制御部１１に出力する。
【００２９】
〔データセンタサーバ２〕
データセンタサーバ２は、地域のデータセンタに設置され、検査センタサーバ５や電子カルテ端末３から送信された診療情報を保存し管理するデータ管理装置である。データセンタサーバ２は、予約サーバ１から予約情報が受信されると、受信された予約情報に基づいて、予約された医療施設や診療科等に対し予約を行った患者に関する診療情報へのアクセス権限を一定期間付与し、権限を付与した医療施設に所属するユーザからのアクセスに応じて患者の診療情報を読み出して送信する。
【００３０】
図４に、データセンタサーバ２の機能構成例を示す。
データセンタサーバ２は、図４に示すように、制御部２１、ＲＡＭ２２、記憶部２３、操作部２４、表示部２５、通信部２６、計時部２７等を備えて構成されており、各部はバス２８により接続されている。
【００３１】
制御部２１は、ＣＰＵ（Central Processing Unit）等により構成され、記憶部２３に
記憶されているシステムプログラムをはじめと各種プログラムを読み出してＲＡＭ２２に展開し、展開されたプログラムに従って各種処理を実行する。例えば、制御部２１は、記憶部２３に記憶されているプログラムに従って、図９に示すデータセンタサーバ２の処理を実行する。
【００３２】
ＲＡＭ２２は、制御部２１により実行制御される各種処理において、記憶部２３から読み出された制御部２１で実行可能な各種プログラム、入力若しくは出力データ、及びパラメータ等の一時的に記憶するワークエリアを形成する。
【００３３】
記憶部２３は、ＨＤＤ（Hard Disk Drive）や半導体の不揮発性メモリ等により構成さ
れる。記憶部２３は、前述のように各種プログラムを記憶している。
【００３４】
また、記憶部２３は、検体検査ＤＢ２３１、画像ＤＢ２３２、権限付与情報ＤＢ２３３、認証情報テーブル２３４等を記憶している。
【００３５】
検体検査ＤＢ２３１は、検査センタサーバ５から送信された検体検査データを格納する。
図５に、検体検査ＤＢ２３１に格納される検体検査データのデータ構成例を示す。図５に示すように、検体検査データは、「患者情報」、「検査識別情報」、「検体識別情報」、「容器識別情報」、「検査結果情報」により構成されている。「検査識別情報」は、検査ＩＤ、検査目的、検査内容、取込日時等の情報を含む。「検体識別情報」は、検体ＩＤ、採取方法、採取量、採取日時、受領日時等の情報を含む。「容器識別情報」は、容器ＩＤ、容器容積、添加物、希釈率、温度等の情報を含む。「検査結果情報」は、検査項目、検査値、単位、基準値、実施者、分析日時、装置ＩＤ等の情報を含む。
【００３６】
画像ＤＢ２３２は、電子カルテ端末３等から送信された医用画像及びその医用画像に関する情報を格納する。
図６に、画像ＤＢ２３２に格納されるデータのデータ構成例を示す。図６に示すように、画像ＤＢ２３２には、各医用画像の「患者情報」、「検査情報」、「シリーズ情報」、「画像情報」、「診断レポート情報」が格納される。「検査情報」は、検査ＩＤ、検査目的、検査内容、取込日時等の情報を含む。「シリーズ情報」は、手技、部位、方向、実施技師等の情報を含む。「画像情報」は、画像数（１シリーズ全体の画像数）、画像番号、画像サイズ、ビットマップ（画像データ）の情報を含む。「診断レポート情報」は、読影医師、参照画像、観察所見、診断報告の情報を含む。
【００３７】
なお、記憶部２３は、医用画像、検体検査データに限らず、病理診断レポート、電子カルテ情報等の他の診療情報を記憶することとしてもよい。
【００３８】
権限付与情報ＤＢ２３３は、図９に示すデータセンタサーバ２の処理によって生成される権限付与情報を格納する。
図７に、権限付与情報ＤＢ２３３に格納される権限付与情報のデータ構成例を示す。図７に示すように、権限付与情報は、患者ＩＤ、施設名、診療科、担当医師、権限有効期間の情報を含む。権限付与情報については詳細を後述する。
【００３９】
認証情報テーブル２３４は、地域医療連携システム１００のサービスを受けている各医療施設（電子カルテ端末３が設置されている医療施設Ａ、Ｂ、Ｃ・・・）、診療科、担当医師の認証情報を格納する。
図８に、認証情報テーブル２３４のデータ格納例を示す。図８に示すように、認証情報テーブル２３４は、地域連携システム１００のサービスを利用可能な各医療施設（診療科、担当医師）の識別情報と、その医療施設（診療科、担当医師の診療室）に設置されている電子カルテ端末３のネットワークアドレス情報（ＩＰアドレス等）及びその医療施設の担当医師のユーザＩＤ等が対応付けて格納されている。
【００４０】
操作部２４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部２１に出力する。
【００４１】
表示部２５は、例えば、ＣＲＴ（Cathode Ray Tube）やＬＣＤ（Liquid Crystal Display）等のモニタを備えて構成されており、制御部２１から入力される表示信号の指示に従って、各種画面を表示する。
【００４２】
通信部２６は、ＬＡＮ（Local Area Network）アダプタ、ルータ、ＴＡ（Terminal Adapter）等を備え、通信ネットワークＮを介して接続された予約サーバ１、電子カルテ端末３、患者端末４、検査センタサーバ５等の外部機器との間でデータの送受信を行う。
【００４３】
計時部２７は、ＲＴＣ（Real Time Clock）等により構成され、現在時刻及び現在日付を計時して制御部２１に出力する。
【００４４】
〔電子カルテ端末３〕
電子カルテ端末３は、各医療施設に設置され、医師が診療情報を表示して読影、診断を行うための端末である。電子カルテ端末３は、制御部、ＲＡＭ、記憶部、操作部、表示部、通信部、計時部等を備えたＰＣ（Personal Computer）により構成される。
【００４５】
電子カルテ端末３の記憶部には、各種プログラムやその医療施設で撮影された医用画像やその医用画像に関する情報が記憶されている。電子カルテ端末３の制御部は、記憶部に記憶されているプログラムとの協働により、各種処理を実行する。例えば、電子カルテ端末３の制御部は、操作部からの指示に応じて、又は、予め設定された時刻が到来した際に、前回の送信時以後に撮影された（取込日時が前回の送信時以後の）医用画像及びその医用画像に関する情報をデータセンタサーバ２に送信する。また、電子カルテ端末３の制御部は、データセンタサーバ２から診療する患者についての診療情報を取得して表示部に表示する。
【００４６】
〔患者端末４〕
患者端末４は、Ｗｅｂブラウザを搭載したＰＣ等の端末である。患者端末４は、操作部からの入力に応じて予約サーバ１の予約受付ページにアクセスして表示する。操作部により予約受付ページから予約情報（図３参照）が入力されると、入力された予約情報をデータセンタサーバ２に送信する。なお、患者端末４はＷｅｂブラウザを備えている端末であればよく、通信ネットワークＮに有線接続されるものであっても、携帯端末のように無線接続されるものであってもよい。
【００４７】
〔検査センタサーバ５〕
検査センタサーバ５は、患者に対して行った血液検査、尿検査等の検体検査を分析することにより得られた検体検査データをデータセンタサーバ２に送信する。
【００４８】
〔地域医療連携システム１００の動作〕
次に、地域医療連携システム１００の動作について詳細に説明する。
図９に、地域医療連携システム１００を構成する各装置間における処理の流れを示す。各装置における処理は、各装置の制御部と記憶部に記憶されているプログラムとの協働により実行される。
【００４９】
患者端末４において、操作部の操作によりＷｅｂブラウザが起動され、予約サーバ１の予約受付ページのＵＲＬが指定されると、予約サーバ１へのアクセスが開始される（ステップＳ１）。
【００５０】
予約サーバ１においては、患者端末４のアクセスに応じて、予約受付ページを表示するためのページデータが記憶部１３から読み出され、通信部１６により依頼元の患者端末４に送信される（ステップＳ２）。
【００５１】
患者端末４においては、予約サーバ１からの予約受付ページが表示され、予約受付ページに従って予約情報が入力されると、入力された予約情報が通信部を介して予約サーバ１に送信される（ステップＳ３）。上述のように、予約情報は、予約を行った患者に関する「患者情報」と、予約番号、予約日時、予約する医療施設名、診療科、担当医師等の「予約詳細情報」から構成された情報である（図３参照）。なお、予約は、医療施設に対して行ってもよいし、診療科が分かれている医療施設においては更に診療科を指定して予約することも可能である。また、かかりつけの医師が決まっている場合は、更に担当医師を指定して予約することもできる。診療科、担当医師は、指定があった場合に予約情報に含められる。
【００５２】
予約サーバ１においては、通信部１６により予約情報が受信されると、受信された予約情報が予約情報ＤＢ１３１に登録される（ステップＳ４）。また、受信された予約情報が通信部１６によりデータセンタサーバ２及び予約情報において指定されている医療施設（予約された医療施設）の電子カルテ端末３に送信される（ステップＳ５）。
【００５３】
電子カルテ端末３においては、予約情報の内容が通知されると、表示部に予約内容（予約情報の内容）が表示される（ステップＳ６）。
【００５４】
データセンタサーバ２においては、受信された予約情報に基づいて権限付与情報が生成され、権限付与情報ＤＢ２３３に登録される（ステップＳ７）。
権限付与情報は、予約情報に含まれる患者ＩＤと、施設名、診療科、担当医師、権限有効期間を含む（図７参照）。権限付与情報は、権限有効期間により指定された一定期間、診療予約された医療施設等（施設名、診療科、又は担当医師）が、診療予約を行った患者（予約情報の患者ＩＤで識別される患者）に関する診療情報にアクセスする権限を与えられたことを示す情報である。権限有効期間は、予約日を含む一定期間（例えば、予約日前後１週間等）である。
アクセス権限は、予約の対象となった施設単位に与える構成としてもよいし、施設の診療科単位に与える構成としても良いし、担当医師単位に与える構成としても良い。
本実施の形態においては、一例として、予約情報に応じた単位でアクセス権限を与えることとする。即ち、医療施設に予約がなされている場合は、医療施設全体にアクセス権限を付与することとし、ある医療施設の診療科に予約がなされている場合はその施設の診療科にアクセス権限を付与することとし、ある医療施設の担当医師に予約がなされている場合はその担当医師にアクセス権限を付与することとする。
また、本実施の形態においては、診療予約された施設等に対し、予約を行った患者の全ての診療情報に権限有効期間内にアクセスする権限を付与することとするが、アクセス権限を与える診療情報の種類を制限することとしてもよい。
【００５５】
医師による電子カルテ端末３の操作部の操作等により予約された患者の患者ＩＤ等が指定され、診察の開始が指示されると、データセンタサーバ２に対し、指定された患者ＩＤの患者の診療情報の取得要求が送信される（ステップＳ８）。
【００５６】
データセンタサーバ２においては、通信部２６により診療情報の取得要求が受信されると、権限付与情報ＤＢ２３３及び認証情報ＤＢ２３４が参照され、権限認証が行われる（ステップＳ９）。
例えば、まず、要求元の電子カルテ端末３にユーザ認証画面が送信され、ユーザＩＤの入力が要求される。通信部２６により電子カルテ端末３からユーザＩＤが受信されると、認証情報テーブル２３４が参照され、受信されたものとユーザＩＤが一致するレコードが検索される。検索の結果、一致するレコードが検索されなかった場合は、アクセスしようとしたユーザにユーザ権限がない、即ちアクセス権限がないと判断される。
一方、検索の結果、認証情報テーブル２３４からユーザＩＤが一致するレコードが検索された場合、権限付与情報ＤＢ２３３が参照され、受信された患者ＩＤの患者の診療情報に対するアクセス権限が、ユーザ認証を行ったユーザの属する医療施設（医療施設の診療科、又はそのユーザ自身）に付与されているか否かが判断される。具体的には、権限付与情報ＤＢ２３３に、患者ＩＤが受信された患者ＩＤと一致し、施設名（診療科が指定されている場合は施設名＋診療科、担当医師が指定されている場合は施設名＋担当医師）がユーザ認証を行ったユーザの属する医療施設の施設名（施設名＋診療科、施設名＋担当医師）と一致し、かつ権限有効期限が経過していないレコードが存在した場合、アクセス権限があると判断される。該当するレコードが存在しない場合、アクセス権限がないと判断される。
なお、本実施の形態においては、ユーザＩＤを用いたユーザ認証に基づき権限認証を行う場合を例としているが、電子カルテ端末３のネットワークアドレス等を用いたノード認証を行うこととしてもよい。即ち、認証情報テーブル２３４及び権限付与情報ＤＢ２３３に基づいて、要求元の電子カルテ端末３がアクセス権限を付与されている医療施設（診療科、担当医師）の電子カルテ端末３であるか否かを判断して権限認証を行うこととしてもよい。
【００５７】
権限認証の結果、診療情報の要求元にアクセス権限があると判断した場合は（ステップＳ１０；ＹＥＳ）、要求元のアクセスを許可し、検体検査ＤＢ２３１、医用画像ＤＢ２３２において、受信された患者ＩＤの検体検査データや医用画像が検索されて診療情報のリストが生成され、通信部２６を介して要求元の電子カルテ端末３に送信される（ステップＳ１１）。
【００５８】
電子カルテ端末３において、受信された診療情報リストの中から参照する診療情報が選択されると（ステップＳ１２）、データセンタサーバ２において、選択された診療情報が記憶部２３から読み出され、通信部２６により依頼元の電子カルテ端末３に送信される（ステップＳ１３）。そして、電子カルテ端末３において、受信された診療情報が表示され（ステップＳ１４）、一連の処理は終了する。
【００５９】
権限認証の結果、診療情報の要求元にアクセス権限がないと判断した場合は（ステップＳ１０；ＮＯ）、要求元のアクセスを許可することなく、一連の処理は終了する。
【００６０】
以上説明したように、地域医療連携システム１００によれば、予約サーバ１において診療予約が受け付けられ、診療を予約した患者の患者情報、予約日、及び予約された医療施設の情報を含む予約情報がデータセンタサーバ２に送信されると、データセンタサーバ２は、受信した予約情報に基づいて、予約された医療施設に対し、診療を予約した患者についての診療情報へのアクセス権限を一定期間付与する。
【００６１】
従って、診療予約が入った段階で、サーバ管理者の手を煩わせることなく、自動的に、一定期間予約された医療施設に対して予約した患者に関する診療情報にアクセスする権限を与えることが可能となる。医療施設においては、予約された患者についての診療情報へのアクセス権限の付与をデータセンタに依頼することを気にすることなく、必要なときに必要な患者の診療情報にアクセスして利用することが可能となる。
【００６２】
また、一定期間経過後に医療施設からその患者の診療情報へのアクセスを要求された場合にはアクセスを許可しないので、患者の個人情報がいつまでも公開され続けるといったことがなくなり、患者の個人情報のセキュリティを確保することが可能となる。
【００６３】
また、アクセス権限は、予約日を含む一定期間与えられるので、医療施設においては、予約が入り診療情報が必要となったときに、必要となった診療情報にアクセスすることが可能となる。
【００６４】
また、予約情報に予約された診療科又は担当医師が含まれている場合は、診療を予約した患者についての診療情報へのアクセス権限を予約された施設の診療科又は担当医師に対して一定期間付与するので、アクセス権限を与える範囲を真に必要な範囲に制限することができ、患者の個人情報に対するセキュリティを更に向上させることが可能となる。
【００６５】
なお、上記実施の形態における記述内容は、本発明の好適な一例であり、これに限定されるものではない。
【００６６】
例えば、上記実施の形態においては、予約サーバ１とデータセンタサーバ２は別々の装置としたが、双方のサーバの機能を備えた一つのサーバにより構成されることとしてもよい。
【００６７】
また、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００６８】
その他、地域医療連携システム１００を構成する各装置の細部構成及び細部動作に関しても、発明の趣旨を逸脱することのない範囲で適宜変更可能である。
【符号の説明】
【００６９】
１００  地域医療連携システム
１  予約サーバ
１１  制御部
１２  ＲＡＭ
１３  記憶部
１３１  予約情報ＤＢ
１４  操作部
１５  表示部
１６  通信部
１７  計時部
１８  バス
２  データセンタサーバ
２１  制御部
２２  ＲＡＭ
２３  記憶部
２３１  検体検査ＤＢ
２３２  画像ＤＢ
２３３  権限付与情報ＤＢ
２３４  認証情報テーブル
２４  操作部
２５  表示部
２６  通信部
２７  計時部
２８  バス
３  電子カルテ端末
４  患者端末
５  検査センタサーバ
Ｎ  通信ネットワーク
【図１】
2010237830.tif 000003
【図２】
2010237830.tif 000004
【図３】
2010237830.tif 000005
【図４】
2010237830.tif 000006
【図５】
2010237830.tif 000007
【図６】
2010237830.tif 000008
【図７】
2010237830.tif 000009
【図８】
2010237830.tif 000010
【図９】
2010237830.tif 000011